【手続補正書】
【提出日】平成16年11月15日(2004.11.15)
【手続補正１】
【補正対象書類名】明細書
【補正対象項目名】発明の名称
【補正方法】変更
【補正の内容】
【発明の名称】受動光ネットワークにおける制御システム及び受動光ネットワークにおける制御方法
【手続補正２】
【補正対象書類名】明細書
【補正対象項目名】特許請求の範囲
【補正方法】変更
【補正の内容】
【特許請求の範囲】
【請求項１】
親局と複数の子局とで構成され、上記親局への上りフレームと上記子局への下りフレームとで交信する受動光ネットワークにおける制御システムにおいて、
ミニスロットに関する保守信号を設定し、上記親局は、個々の上記子局からのミニスロットの受信状態に基いて上記保守信号を検出する子局対応部、を備えたことを特徴とする受動光ネットワークにおける制御システム。
【請求項２】
親局は、
（１）Ｎ（Ｎは正の整数）回連続して上記ミニスロットを期待する期間に有効な光信号を受信しないか、
（２）Ｎ回連続して無効なデリミッタを受信するか、
（３）有効なデリミッタを受信できる場合に、受信したミニスロットの位相が制限を超過し、子局で調整が出来ないか、
のいずれかの状態を検出した場合にミニスロットに関する保守信号を検出することを特徴とする請求項１記載の受動光ネットワークにおける制御システム。
【請求項３】
Ｎは８であることを特徴とする請求項２記載の受動光ネットワークにおける制御システム。
【請求項４】
親局は、検出した保守信号に基いて対応する子局の上りフレームの帯域を割当てる動的帯域割当て制御機能部を備えたことを特徴とする請求項１記載の受動光ネットワークにおける制御システム。
【請求項５】
親局は、
動的帯域割当て制御機能部が制御する運用状態において、分割スロットグラントと一致する光信号を受信した場合にミニスロットに関する保守信号を解除することを特徴とする請求項４記載の受動光ネットワークにおける制御システム。
【請求項６】
動的帯域割当て制御機能部は、各子局の上りフレームの帯域を動的に割当てることを特徴とする請求項４記載の受動光ネットワークにおける制御システム。
【請求項７】
動的帯域割当て制御機能部は、自身が制御する運用状態において、子局対応部が検出するミニスロットに関する保守信号と関連して上記運用の状態遷移を行うことを特徴とする請求項４記載の受動光ネットワークにおける制御システム。
【請求項８】
親局は、検出した保守信号に基いて各子局の運用の状態を制御することを特徴とする請求項１記載の受動光ネットワークにおける制御システム。
【請求項９】
親局と複数の子局とで構成されて上記親局への上りフレームと上記子局への下りフレームとで相互に交信する受動光ネットワークにおける制御方法において、
ミニスロットに関する保守信号を設定するステップと、
上記親局において、個々の上記子局からのミニスロットの受信状態に基いて上記保守信号を検出するステップと、を備えたことを特徴とする受動光ネットワークにおける制御方法。
【請求項１０】
親局は、
（１）Ｎ（Ｎは正の整数）回連続して上記ミニスロットを期待する期間に有効な光信号を受信しないか、
（２）Ｎ回連続して無効なデリミッタを受信するか、
（３）有効なデリミッタを受信できる場合に、受信したミニスロットの位相が制限を超過し、子局で調整が出来ないか、
のいずれかの状態を検出した場合にミニスロットに関する保守信号を検出することを特徴とする請求項９記載の受動光ネットワークにおける制御方法。
【請求項１１】
Ｎは８であることを特徴とする請求項１０記載の受動光ネットワークにおける制御方法。
【請求項１２】
親局は、検出した保守信号に基いて対応する子局の上りフレームの帯域を割当てる動的帯域割当て制御ステップ、を備えたことを特徴とする請求項９記載の受動光ネットワークにおける制御方法。
【請求項１３】
親局は、
動的帯域割当て制御ステップで制御する運用状態において、分割スロットグラントと一致する光信号を受信すると、ミニスロットに関する保守信号を解除する、保守信号解除ステップ、を備えたことを特徴とする請求項１２記載の受動光ネットワークにおける制御方法。
【請求項１４】
動的帯域割当て制御ステップでは、各子局の上りフレームの帯域を動的に割当てることを特徴とする請求項１２記載の受動光ネットワークにおける制御方法。
【手続補正３】
【補正対象書類名】明細書
【補正対象項目名】００１２
【補正方法】変更
【補正の内容】
【００１２】
【課題を解決するための手段】
この発明に係る受動光ネットワークにおけるミニスロット制御システムは、親局と複数の子局とで構成され、親局への上りフレームと子局への下りフレームとで交信する受動光ネトワークにおける制御システムにおいて、
ミニスロットに関するミニスロット保守信号を設定し、上記親局は、個々の上記子局からのミニスロットの受信状態に基いて上記保守信号を検出する個別子局対応部、を備えた。
【手続補正４】
【補正対象書類名】明細書
【補正対象項目名】００１３
【補正方法】変更
【補正の内容】
【００１３】
また更に、親局は、
（１）Ｎ（Ｎは正の整数）回連続して上記ミニスロットを期待する期間に有効な光信号を受信しないか、
（２）Ｎ回連続して無効なデリミッタを受信するか、
（３）有効なデリミッタを受信できる場合に、受信したミニスロットの位相が制限を超過し、子局で調整が出来ないか、
のいずれかの状態を検出した場合にミニスロットに関する保守信号を検出するようにした。
また更に、Ｎは８とした。
【手続補正５】
【補正対象書類名】明細書
【補正対象項目名】００１４
【補正方法】変更
【補正の内容】
【００１４】
また更に、親局は、検出した保守信号に基いて対応する子局の上りフレームの帯域を割当てる動的帯域割当て制御機能部を備えた。
また更に、親局は、
動的帯域割当て制御機能部が制御する運用状態において、個別子局対応部が分割スロットグラントと一致する光信号を受信した場合にミニスロットに関する保守信号を解除するようにした。
また更に、動的帯域割当て制御機能部は、各子局の上りフレームの帯域を動的に割当てるようにした。
また更に、動的帯域割当て制御機能部は、自身が制御する運用状態において、個別子局対応部が検出するミニスロット保守信号と関連して上記運用の状態遷移を行うようにした。
【手続補正６】
【補正対象書類名】明細書
【補正対象項目名】００１５
【補正方法】変更
【補正の内容】
【００１５】
また更に、親局は、検出した保守信号に基いて各子局の運用の状態を制御するようにした。
この発明に係る受動光ネットワークにおけるミニスロット制御方法は、親局と複数の子局とで構成されて上記親局への上りフレームと上記子局への下りフレームとで相互に交信する受動光ネットワークにおける制御方法において、
ミニスロットに関するミニスロット保守信号を設定するステップと、
上記親局において、個々の上記子局からのミニスロットの受信状態に基いて上記保守信号を検出するステップと、を備えた。
また更に、親局は、
（１）Ｎ（Ｎは正の整数）回連続して上記ミニスロットを期待する期間に有効な光信号を受信しないか、
（２）Ｎ回連続して無効なデリミッタを受信するか、
（３）有効なデリミッタを受信できる場合に、受信したミニスロットの位相が制限を超過し、子局で調整が出来ないか、
のいずれかの状態を検出した場合にミニスロットに関する保守信号を検出するようにした。
また更に、Ｎは８であるとした。
また更に、親局は、検出した保守信号に基いて対応する子局の上りフレームの帯域を割当てる動的帯域割当て制御ステップ、を備えた。
また更に、親局は、
動的帯域割当て制御ステップで制御する運用状態において、分割スロットグラントと一致する光信号を受信すると、ミニスロットに関する保守信号を解除する、保守信号解除ステップ、を備えた。
また更に、動的帯域割当て制御ステップでは、各子局の上りフレームの帯域を動的に割当てるようにした。